(57)【要約】      （修正有）【課題】屈まなくても犬の糞を回収することができる利便性の高い犬用糞回収具を提供する。【解決手段】犬用糞回収具は、犬の糞を収容するための収容部２と、この収容部に接続されると共に当該収容部を犬の臀部下方へ位置させるためのロッド部３と、を備える。前記ロッド部は、金属製又は樹脂製で５０ｃｍ以上の長さを有しており、前記収容部は、前記ロッド部に接続された環状の枠体１０、及び上方へ開口するように前記枠体に周辺部で固定された器状の糞受け体１１で構成する。犬用糞回収具によれば、犬の糞を収容するための収容部に接続されたロッド部が５０ｃｍ以上の長さを有しており、このロッド部で収容部を犬の臀部下方へ位置させることで、犬から排泄される糞を人が屈まなくても回収できる。【選択図】図１
0003169450.tif 000002
【実用新案登録請求の範囲】
【請求項１】
犬の糞を収容するための収容部と、この収容部に接続されると共に当該収容部を犬の臀部下方へ位置させるためのロッド部と、を備える犬用糞収容具であって、
前記ロッド部は、金属製又は樹脂製で５０ｃｍ以上の長さを有しており、前記収容部は、前記ロッド部に接続された環状の枠体、及び上方へ開口するように前記枠体に周辺部で固定された器状の糞受け体で構成されていることを特徴とする犬用糞回収具。
【請求項２】
前記ロッド部は、大きさの順に順次出入自在に嵌合された径の異なる複数の筒体で伸縮自在に構成されていることを特徴とする請求項１に記載の犬用糞回収具。
【請求項３】
前記糞受け体は、前記枠体に着脱自在に設けられていることを特徴とする請求項１又は２に記載の犬用糞回収具。
【請求項４】
前記糞受け体は柔軟性を有する編目状部材からなり、前記糞受け体の周縁に沿って紐通し孔が設けられると共に、この紐通し孔に当該糞受け体の周縁よりも長い紐状部材が通されており、前記枠体から前記糞受け体を取り外した後、前記紐通し孔に通された前記紐状部材の両端部分を当該紐通し孔の外側で合わせて引くことで、前記糞受け体が閉塞状態となることを特徴とする請求項３に記載の犬用糞回収具。
【請求項５】
外方へ向かって湾曲する弾性変形可能な長板状部材が前記枠体の外周の所要間隔をあけた部分間に掛け渡すように設けられており、落下した糞を前記枠体と前記長板状部材とで挟み込むようにして当該枠体を地面に沿わせ、当該長板状部材を人の足で内方へ弾性変形させることによってその糞を前記糞受け体へ収容することを特徴とする請求項１〜４のいずれかに記載の犬用糞回収具。
【考案の詳細な説明】
【技術分野】
【０００１】
本考案は、犬の散歩の際に持ち歩いて、手を汚すことなく犬の糞を回収することができる犬用糞回収具に関するものである。
【背景技術】
【０００２】
最近のペットブームに伴い、犬を連れて公道や公園を散歩する人が多い中、散歩中における犬の糞の後始末が問題となっている。例えば、特許文献１には、柄を有する容器と、この容器の受け口を閉塞する蓋とからなり、当該蓋を開閉自在とした犬の糞回収具が記載されている。特許文献２には、環状部分を有する枠体と袋状部材とからなり、この袋状部材を環状部分に装脱自在とする回収具が記載されている。
【先行技術文献】
【特許文献】
【０００３】
【特許文献１】特開２０１０−２６３８６５号公報
【特許文献２】実用新案登録第３１５２９３９号公報
【考案の概要】
【考案が解決しようとする課題】
【０００４】
しかし、上記特許文献１及び特許文献２の回収具では、地面に落下した糞を回収する際や犬から直接的に糞を回収する際に、犬の臀部に回収具をあてがわなければならない。そのため、犬の糞を回収する度に屈む動作を要することになり、特に足腰の弱い年配の人にとっては不便である。
【０００５】
そこで本考案は、上記従来技術の問題点に鑑み、屈まなくても犬の糞を回収することができる利便性の高い犬用糞回収具を提供することを目的とする。
【課題を解決するための手段】
【０００６】
上記目的を達成するため、次の技術的手段を講じた。
即ち、本考案の犬用糞回収具は、犬の糞を収容するための収容部と、この収容部に接続されると共に当該収容部を犬の臀部下方へ位置させるためのロッド部と、を備える犬用糞収容具であって、前記ロッド部は、金属製又は樹脂製で５０ｃｍ以上の長さを有しており、前記収容部は、前記ロッド部に接続された環状の枠体、及び上方へ開口するように前記枠体に周辺部で固定された器状の糞受け体で構成されていることを特徴とするものである。
【０００７】
上記本考案の犬用糞回収具によれば、犬の糞を収容するための収容部に接続されたロッド部が５０ｃｍ以上の長さを有しており、このロッド部で収容部を犬の臀部下方へ位置させることで、犬から排泄される糞を人が起立状態のまま直接的に収容できる。そのため、屈まなくても犬の糞を回収することができ利便性が高い。
【０００８】
前記ロッド部は、大きさの順に順次出入自在に嵌合された径の異なる複数の筒体で伸縮自在に構成されていることが好ましい。この場合、使用するときはロッド部を伸ばし、使用しないときは縮ませてコンパクトにすることができ、持ち歩きに便利である。
【０００９】
前記糞受け体は、前記枠体に着脱自在に設けられていることが好ましい。糞受け体を着脱自在とすることで、汚れた糞受け体を洗浄し易くなる。
【００１０】
前記糞受け体を、柔軟性を有する編目状部材とし、前記糞受け体の周縁に沿って紐通し孔を設けると共に、この紐通し孔に当該糞受け体の周縁よりも長い紐状部材を通し、前記枠体から前記糞受け体を取り外した後、前記紐通し孔に通された前記紐状部材の両端部分を当該紐通し孔の外側で合わせて引くことで、前記糞受け体が閉塞状態となるようにしてもよい。この場合、取り外した糞受け体の周縁を紐状部材で縛って閉塞状態とすることができるので、回収した糞を廃棄し易くなる。
【００１１】
外方へ向かって湾曲する弾性変形可能な長板状部材を、前記枠体の外周の所要間隔をあけた部分間に掛け渡すように設け、落下した糞を前記枠体と前記長板状部材とで挟み込むようにして当該枠体を地面に沿わせ、当該長板状部材を人の足で内方へ弾性変形させることによってその糞を前記糞受け体へ収容してもよい。このようにすれば、犬の糞が地面に落下してしまった場合であっても、手を汚さずにその糞を回収することができる。
【考案の効果】
【００１２】
上記の通り、本考案によれば、人が起立したままで収容部を犬の臀部下方へ位置させ、犬から排泄される糞を直接的に収容することができるため、屈まなくても犬の糞を回収することができ利便性が高い。
【図面の簡単な説明】
【００１３】
【図１】本考案の第１実施形態に係る犬用糞回収具の斜視図である。
【図２】ロッド部を縮めた状態の犬用糞回収具の側面図である。
【図３】（ａ）は本考案の第２実施形態に係る犬用糞回収具の収容部付近の平面図であり、（ｂ）はその斜視図である。
【図４】（ａ）は糞受け体を取り外すときの状態図であり、（ｂ）は紐状部材で縛って廃棄するときの図である。
【考案を実施するための形態】
【００１４】
以下、本考案の実施形態について図面を参照して説明する。図１は本考案の第１実施形態に係る犬用糞回収具１の斜視図である。この犬用糞回収具１は、犬を連れて散歩をしている際などに、犬の糞を回収するためのものであり、糞を収容するための収容部２と、この収容部２に固定されている長尺状のロッド部３と、このロッド部３の基端３ａに設けられた把持部４とで構成されている。把持部４は、人が犬用糞回収具１を持ち歩くときに握る部分であり湾曲状に形成されている。なお、把持部４の形状は限定されるものでなく、適宜変更することができる。
【００１５】
図２はロッド部３を縮めた状態の犬用糞回収具１の側面図である。ロッド部３は、把持部４側から順に金属製の第１〜第３の筒体５〜７で構成されている。第１〜第３の筒体５〜７の素材は限定されるものではなく、例えば各種の樹脂を採用してもよい。第２の筒体６は、第１の筒体５よりも小さい径を有して当該第１の筒体５の内側に嵌装され、第３の筒体７は第２の筒体６よりも小さい径を有して当該第２の筒体６の内側に嵌装されている。このようにして、第１〜第３の筒体５〜７が、大きさの順に順次出入自在に嵌合されており、これにより、ロッド部３が伸縮自在に構成されている。
【００１６】
第２の筒体６及び第３の筒体７の上端部ａには、出入り自在となっているストッパ８が設けられており、出た状態のストッパ８に、第１の筒体５や第２の筒体６の下端部ｂが当接することで、当該各筒体５、６が止められるようになっている。なお、ロッド部３を伸縮自在とする構成は、限定されるものではなく公知のものを採用することができる。本実施形態では、伸ばされたロッド部３の長さは、約６０ｃｍであり、これにより、人が起立したまま収容部２を犬の臀部下方へ位置させることができるようになっている。さらに、ロッド部３は、図２のように縮めることができるため、使用するときは当該ロッド部３を伸ばし、使用しないときは縮ませてコンパクトにすることができ、持ち歩きに便利である。
【００１７】
収容部２は、ロッド部３に接続された金属製の環状の枠体１０と、上方へ開口するように枠体１０に固定され、器状に形成された金属製の糞受け体１１とで構成されている。枠体１０及び糞受け体１１の素材は限定されるものではなく、例えば各種の樹脂を採用してもよい。収容部２の枠体１０には、当該収容部２をロッド部３へ着脱自在に取り付けるための取付部材１２が設けられている。取付部材１２は、環状の金属で幅方向へ自在に撓むように構成されており、ロッド部３へ取り付けられていないときは、当該ロッド部３よりも大きい幅を有しており、取り付けられている状態では、幅が狭められて付勢された状態となるものである。糞受け体１１は、編目状で深さが約６ｃｍに形成されている。枠体１０及び糞受け体１１の形状や寸法は、限定されるものではなく適宜変更することができる。
【００１８】
上記本実施形態の犬用糞回収具１によれば、犬の糞を収容するための収容部２に接続されたロッド部３が５０ｃｍ以上の長さを有しており、人が起立状態のまま収容部２を犬の臀部下方へ位置させ、犬から排泄される糞を直接的に収容することができる。そのため、屈まなくても犬の糞を回収することができ利便性が高い。
【００１９】
図３（ａ）は本考案の第２実施形態に係る犬用糞回収具１５の収容部１６付近の平面図であり、同図（ｂ）はその斜視図である。本実施形態が上記実施形態と異なる点は、糞受け体１７が着脱自在となっている点などである。糞受け体１７は柔軟性を有する編目状部材からなり、糞受け体１７の周縁に沿って紐通し孔１８が設けられると共に、この紐通し孔１８に糞受け体１７の周縁よりも長い紐状部材１９が通されている。糞受け体１７は、枠体２０の内側に嵌め込まれたリング部材２１によって止められており、枠体２０から取り外せるようになっている。
【００２０】
また、外方へ向かって湾曲する弾性変形可能な長板状部材２２が、枠体２０の外周２０ａの所要間隔をあけた部分間に掛け渡すように設けられている。これにより、落下した糞を枠体２０と長板状部材２２とで挟み込むようにして当該枠体２０を地面に沿わせ、当該長板状部材２２を人の足で内方へ弾性変形させることによって、その糞を糞受け体１７へ収容することができる。長板状部材２２を設ける箇所、長さ及び寸法は、適宜変更することができる。
【００２１】
図４（ａ）は糞受け体１７を取り外すときの状態図であり、（ｂ）は紐状部材１９で縛って廃棄するときの図である。図４（ａ）のように、犬の糞３０を糞受け体１７へ収容した後、枠体２０の内側に嵌め込まれているリング部材２１を上方へ外し、犬の糞３０が収容された糞受け体１７を取り外す。同図（ｂ）のように、取り外した糞受け体１７に通された紐状部材１９の両端部分１９ａ、１９ａを紐通し孔１８の外側で合わせて引くことで、糞受け体１７を閉塞状態とする。
【００２２】
糞受け体１７が枠体２０に着脱自在に設けられているため、汚れた糞受け体１７を洗浄し易くなっている。また、取り外した糞受け体１７の周縁を紐状部材１９で縛って閉塞状態にできるので、回収した糞３０を糞受け体１７ごと廃棄することもできる。長板状部材２０を人の足で内方へ弾性変形させることによって犬の糞３０を糞受け体１７へ収容できるので、犬の糞３０が地面に落下してしまった場合であっても、手を汚さずにその糞３０を回収することができる。
【００２３】
上記実施形態は、例示であり制限的なものではない。例えば、ロッド部の長さを変更してもよく、ロッド部を伸縮自在とせずに１本の棒部材で構成するようにしてもよい。糞受け体として、例えばスーパーなどで持ち帰るレジ袋を用いて、使い捨てにすることもできる。
【符号の説明】
【００２４】
１、１５  犬用糞回収具
２、１６  収容部
３        ロッド部
５〜７    第１〜第３の筒体
１０、２０    枠体
１１、１７    糞受け体
２２      長板状部材
【図１】
0003169450.tif 000003
【図２】
0003169450.tif 000004
【図３】
0003169450.tif 000005
【図４】
0003169450.tif 000006